(57)【要約】【課題】廃品回収作業時の労力を軽減できるようにする。【解決手段】一端を開口した所要形状の袋体４を製造する。所要枚数の袋体４を、内外方向に重なるよう積層配置して廃品回収袋５を形成する。廃品回収袋５における積層状態の袋体４を一体として廃品回収容器へ収納して、廃品の投入を行わせ、その後、廃品回収を行うときには、その時点で最も内側に位置する袋体４のみを、廃品と一緒に取り出すことにより、取り出される袋体４よりも外側に位置していた袋体４は、廃品回収容器に収納させたまま残して、以降の廃品の投入に備えさせる。【選択図】        図１
2004175518.tif 000002
【特許請求の範囲】
【請求項１】
一端を開口した複数の袋体を、内外方向に重ね合わせるように積層してなり、且つ該各袋体を積層した状態で一端の開口が上方となるように所要の廃品回収用容器の内側に収納できるようにしたことを特徴とする廃品回収袋。
【請求項２】
積層された各袋体の底部に、該積層された各袋体の底部同士の層間に空気層を形成させるための凹凸を設けた請求項１記載の廃品回収袋。
【請求項３】
積層された各袋体の内底部に、廃品回収用容器の底部形状に対応した形状の底板を装備させた請求項１記載の廃品回収袋。
【請求項４】
底板の上面又は下面の少なくとも一方の面に、積層された各袋体の底部同士の層間に空気層を形成させるための凹凸を設けた請求項３記載の廃品回収袋。
【請求項５】
積層された各袋体の一端開口部の周縁部に、各袋体毎に一端開口部を縛って閉じるための耳部を設けた請求項１、２、３又は４記載の廃品回収袋。
【請求項６】
耳部の表面又は裏面の少なくとも一方の面に、積層する耳部同士の付着防止部材を設けた請求項５記載の廃品回収袋。
【請求項７】
一端を開口した袋体を、内外方向に重ね合わせるようにして積層して積層体を形成し、該袋体の積層体を、廃品回収用容器の開口に袋体の開口が位置するように該容器の内側に収納して容器に保持させてなる構成を有することを特徴とする廃品回収装置。
【請求項８】
各袋体の底部に凹凸を設けて、積層体を形成する該各袋体の底部同士の層間に空気層を形成させるようにした請求項７記載の廃品回収装置。
【請求項９】
積層体を形成する各袋体の内底部に、該袋体の積層体を収納する廃品回収用容器の底部形状に対応した形状の底板を装備した請求項７記載の廃品回収装置。
【請求項１０】
底板の上面又は下面の少なくとも一方の面に、凹凸を設けて、積層体を形成する各袋体の底部同士の層間に空気層を形成させるようにした請求項９記載の廃品回収装置。
【請求項１１】
積層体を形成する各袋体の一端開口部の周縁部所要位置に、各袋体毎に開口部を縛って閉じるための耳部を設けて、該耳部を容器の外側へ突出させるようにした請求項７、８、９又は１０記載の廃品回収装置。
【請求項１２】
耳部の表面又は裏面の少なくとも一方の面に、積層体を形成する各袋体の耳部同士の付着防止部材を設けた請求項１１記載の廃品回収装置。
【発明の詳細な説明】
【０００１】
【発明の属する技術分野】
本発明は廃品を投入して回収するために用いる廃品回収袋及び廃品回収装置に関するものである。
【０００２】
【従来の技術】
家庭や公共施設等の屋内、屋外に設置される複数のごみ箱等の廃品回収用の容器には、紙ごみ、プラスチックごみ、ペットボトル、缶やその他の廃品を分別して回収するようにしてある。図１１はその１つの容器の一例の概略を示すもので、所定位置に設置されている廃品回収用容器１の内側に、所要の材質、たとえば、プラスチック製（ビニル製）等の柔軟な１枚の袋２を一端の開口が上方へ位置するように挿入配置して、袋２の内側を廃品回収用容器１の内面に沿うよう広げると共に、該袋２の開口部の周縁部を、外側に折り返して、その折り返し部分を、上記廃品回収用容器１の上端開口の周縁部に引っ掛けて保持させるようにし、この状態で該廃品回収用容器１に収納してある１枚の袋２の内側に廃品３を投入させるようにし、該袋２内に投入された廃品３が所定量に達したとき、たとえば、廃品回収用容器１が廃品３で一杯になったときや、廃品３の投入量にかかわらず所定の間隔で予め設定してある回収時期になると、上記投入された廃品３を、袋２ごと廃品回収用容器１から取り出して回収作業を実施することが広く一般に行われている（たとえば、特許文献１参照）。
【０００３】
上記のようにして廃品回収用容器１より廃品３を袋２と一緒に取り出して回収した後は、上記廃品回収用容器１に、新たな１枚の袋２を上記と同様にして収納させておくことにより、その後の廃品３の投入に備えるようにしている。
【０００４】
【特許文献１】
特開平１１−０２９２０２号公報
【０００５】
【発明が解決しようとする課題】
ところが、上述した廃品回収の手法では、廃品回収用容器１内に投入された廃品３の回収を行う都度、該廃品回収用容器１内に新たな袋２を１枚ずつ収納させる必要があることから、この廃品回収用容器１へ袋２をその都度セットするための手間及び時間を要し、多くの廃品回収用容器１からの廃品回収作業時における手間が嵩むという問題がある。
【０００６】
そこで、本発明は、廃品回収作業時に要する手間及び時間を削減できて、廃品回収作業に要する労力の省力化を図ることができる廃品回収袋及び廃品回収装置を提供しようとするものである。
【０００７】
【課題を解決するための手段】
本発明は、上記課題を解決するために、一端を開口した複数の袋体を、内外方向に重ね合わせるように積層してなり、且つ該各袋体を積層した状態で一端の開口が上方となるように所要の廃品回収用容器の内側に収納できるようにした構成を有する廃品回収袋とする。
【０００８】
廃品回収用容器に上記廃品回収袋を収納して保持させておくと、廃品回収袋内に投入された廃品の回収を行う場合は、その時点で最も内側に配されている袋体のみを上記投入された廃品と一緒に取り出して回収するようにする。この場合に、廃品と一緒に廃品回収用容器内から取り出される袋体よりも外側に位置している他の袋体は、上記廃品回収容器内に収納されたまま残される。したがって、廃品回収作業は、積層されて廃品回収袋を構成している各袋体の積層枚数の廃品回収を行うことができ、この間、廃品回収用容器内への廃品回収用の袋の装着作業は省略できる。
【０００９】
又、一端を開口した袋体を、内外方向に重ね合わせるようにして積層して積層体を形成し、該袋体の積層体を、廃品回収用容器の開口に袋体の開口が位置するように該容器の内側に収納して容器に保持させてなる構成を有する廃品回収装置とすると、該廃品回収装置を廃品回収すべき所要個所へ搬送して設置することにより、袋体の積層体である廃品回収袋を予め容器に収納した状態で現場に搬入できるため、現場における廃品回収容器への廃品回収袋の装着作業を不要にでき、直ちに廃品の投入に備えた状態とさせることができ、このため現場での廃品回収作業を更に容易に行うことができる。
【００１０】
更に、積層された各袋体の底部に、該積層された各袋体の底部同士の層間に空気層を形成させるための凹凸を設けた構成とすることにより、内外方向に隣接する袋体同士の分離を容易に行わせることができ、このため袋体に投入された廃品を回収するため当該袋体を取り出すときに、その外側に隣接する袋体が上記取り出される袋体に追従して取り出されるという虞を減少でき、このため廃品の回収作業時に要する労力を更に削減することができる。
【００１１】
更に又、積層された各袋体の内底部に、廃品回収用容器の底部形状に対応した形状の底板を装備させた構成とすることにより、各袋体の内側に投入される廃品を底板で受けることによって袋体の底部を廃品より保護できるため、各袋体の底部が廃品と接触することにより損傷する虞を防止できる。
【００１２】
更に又、底板の上面又は下面の少なくとも一方の面に、積層された各袋体の底部同士の層間に空気層を形成させるための凹凸を設けた構成とすることにより、内外方向に隣接する袋体同士の分離を容易に行わせることができ、このため袋体に投入された廃品を回収するため当該袋体を取り出すときに、その外側に隣接する袋体が上記取り出される袋体に追従して取り出されるという虞を減少できて、廃品の回収作業時に要する労力を低減させることができる。
【００１３】
更に又、積層された各袋体の一端開口部の周縁部に、各袋体毎に一端開口部を縛って閉じるための耳部を設けた構成とすることにより、投入された廃品を受けている袋体を取り出すときに該袋体の耳部同士を縛るようにすることにより、廃品が収納された袋体の開口部を閉じることができるため、該廃品を収容した袋体を取扱うときに、内部の廃品が該袋体の開口部からこぼれることを防止できて、上記廃品を収納した袋体の取り扱いを容易に行うことができる。
【００１４】
更に又、耳部の表面又は裏面の少なくとも一方の面に、積層する耳部同士の付着防止部材を設けた構成とすることにより、積層された各袋体の耳部が重なったまま一様に屈曲や変形する状態になっても、積層されている各袋体の耳部同士を分離し易くすることが可能になることから、投入される廃品を直接受けている最も内側に位置する袋体を取り出すときに、上記最内側の袋体の耳部を、その外層側に位置する他の袋体の耳部から容易に分離して把持できるため、廃品の回収作業を更に容易にすることが可能となる。
【００１５】
【発明の実施の形態】
以下、本発明の実施の形態を図面を参照して説明する。
【００１６】
図１（イ）（ロ）及び図２（イ）（ロ）は本発明の廃品回収袋の実施の一形態を示すもので、図１（ロ）に示す如く、一端（上端）のみ開口した所要形状、たとえば、使用する廃品回収用容器１が角型の場合には、該廃品回収用容器１の形状に対応させた角筒状としてなる袋体４を、多数製造すると共に、１枚の袋体４の内側に、別の袋体４を内外方向に順次重なるよう挿入配置して、所定枚数の袋体４を内外方向に積層して図１（イ）に示す如き積層体を形成し、本発明の廃品回収袋５とする。
【００１７】
更に、上記各袋体４は、一端開口部の周縁部における周方向所要間隔個所（図では周方向９０度間隔となる各辺の中央部の４個所）に、耳部６をそれぞれ突出させて設け、相対向する耳部６同士を縛ることにより各袋体４の開口部を閉じることができるようにしてある。
【００１８】
上記本発明の廃品回収袋５を用いて廃品３の回収を行う場合は、該廃品回収袋５を、図２（イ）に示す如く、所定位置に設置してある廃品回収用容器１のところまで搬入し、該廃品回収用容器１の内側に一端の開口部が上側となるよう収納して、開口部の周縁部を廃品回収用容器１の上端開口縁部に沿わせるようにすると共に上記廃品回収袋５の各袋体４の耳部６を積層状態のまま上記廃品回収用容器１の上端開口部の周縁部より外側へ突出させておくようにすることにより、廃品回収袋５の上端の開口部を開いた状態で保持させて廃品３の投入に備えさせる。
【００１９】
その後、上記廃品回収用容器１内に収納されている廃品回収袋５の内側へ廃品３の投入が行われ、投入された廃品３の量が所定量に達したときや、所定間隔で予め設定してある回収時期となる場合には、図２（ロ）に示す如く、上記廃品回収袋５における最内層に位置する袋体４のみを、耳部６同士を縛ることにより上端の開口部を閉塞させた後、内部に投入された廃品３と一緒に廃品回収用容器１から取り出して回収を行なうようにする。これにより、上記最内層の袋体４の外側に位置する他の袋体４は、廃品回収用容器１の内側に装着されたまま残されるので、該廃品回収用容器１は、上記廃品回収袋５の袋体４のうち、当初、内側から２層目に位置していた袋体４が内側に露出させられた状態として再び廃品３の投入に備えた状態とされる。
【００２０】
次いで、上記と同様にして廃品回収用容器１に収納されている廃品回収袋５の内側への廃品３の投入が行われた後、該投入された廃品３の回収を行うときには、その時点で廃品回収袋５の最も内側に位置している袋体４のみを、内部に投入された廃品３と一緒に廃品回収用容器１から取り出すと共に、該廃品３と一緒に廃品回収用容器１から取り出される袋体４の外側に隣接していた袋体４を、廃品回収用容器１の内側に新たに露出させた状態として次の廃品３の投入に備えさせるようにし、このような廃品回収袋５の内側に位置している袋体４による廃品３の廃品回収用容器１からの取り出し、回収操作を、当初の廃品回収袋５の最外層に位置していた袋体４が投入された廃品３と一緒に取り出されるようになるまで順次繰り返す。
【００２１】
上記のようにして、廃品回収用容器１に投入された廃品３の回収を行う際、該廃品３と一緒に取り出される袋体４が、本発明の廃品回収袋５にて当初最外層に位置していた袋体４となった場合には、該袋体４の取り出しに伴って廃品回収用容器１内は袋体４が非装着状態となるため、新たな廃品回収袋５を搬入して上記廃品回収用容器１へ装着させることにより、その後、上記と同様にして廃品回収操作が継続して行われるようになる。
【００２２】
このように、本発明の廃品回収袋５によれば、複数の袋体４を積層してなる廃品回収袋５を廃品回収用容器１へ一旦収納して装着すると、廃品回収用容器１に投入される廃品３を、廃品回収袋５を構成している複数の袋体４を内側より順に取り出すことにより従来の如きその都度新しい袋２を廃品回収用容器１内に入れたりする操作をすることなしに回収でき、したがって、１つの廃品回収用容器１に投入される廃品３は、袋の入れ替えなしに、廃品回収袋５として積層してある袋体４の枚数に対応した回数の回収操作を繰り返し実施することができ、廃品回収用容器１への廃品回収袋５の装着を行なう回数を、従来の廃品回収用容器１からの廃品回収作業の度毎に毎回行っていた袋２の装着作業回数に比して大幅に削減することができ、したがって、廃品回収作業時における手間及び時間を削減できて、廃品回収作業に要する労力を削減することができる。
【００２３】
又、各袋体４の一端開口部には耳部６が設けてあるため、廃品回収用容器１へ投入された廃品３を該廃品回収用容器１内から最内側の袋体４と一緒に取り出すときに、上記耳部６同士を縛ることにより、廃品３を収納した状態で袋体４の開口部を閉じることができるため、該廃品３を収容した袋体４を取扱うときに、内部の廃品３が該袋体４の開口部からこぼれることを防止できて、上記廃品３を収納した袋体４の取り扱いが容易になる。
【００２４】
更に、袋体４は工場で大量生産できるため、本発明の廃品回収袋５は容易に製造が可能であり、この際、各袋体４の容積を、たとえば、廃品３が一杯まで投入されると所定の容積値となるように設定しておくようにすれば、廃品３が一杯まで投入された状態の袋体４の回収を行なうことにより、回収される廃品３の量を簡単に積算できて、廃品処理場の能力を容易に算出することが可能になる。又、上記袋体４を、色分けしたり、分別すべき廃品３と対応したマーク等を設けるようにすれば、廃品３の分別回収を容易にできて、廃品３の減量化を図ることも可能になる。
【００２５】
次に、図３は本発明の実施の他の形態を示すもので、図１（イ）（ロ）及び図２（イ）（ロ）に示した構成において、内外方向に積層してある各袋体４の底部の内面（上面）、又は、外面（下面）、あるいは、内外両面の所要位置に（図では底部の内面に設けたものを示す。）、各袋体４の厚みを部分的に増すことにより形成してなる凸部４ａを設けて袋体４の底部に凹凸を形成することにより、各袋体４の底部の表面と、凸部４ａの先端部に接する内側の袋体４の底面との間に空間部、すなわち、空気層７を形成できるようにし、これにより、廃品回収袋５として積層配置される各袋体４の底部同士のすべての層間に空気層７を形成させるようにする。
【００２６】
なお、上記において、各袋体４の底部の厚さ寸法が十分あって、該底部の所要位置に部分的に厚みを減じた凹部を形成しても、廃品３を収納して回収するのに十分な強度を保持できれば、各袋体４の底部に凹部を形成したり、上記凸部４ａと凹部の双方を設けて凹凸を形成してなる構成として、積層された各袋体４の底部同士の層間に空気層７を形成させるようにしてもよい。その他の構成は図１（イ）（ロ）及び図２（イ）（ロ）に示したものと同様であり、同一のものには同一符号が付してある。
【００２７】
本実施の形態によれば、積層された各袋体４の底部に凸部４ａを設けることにより、内外方向に積層されている袋体４の底部同士の層間に空気層７を形成させることができるため、この空気層７の存在により内外方向に隣接する袋体４同士の分離を容易に行わせることができる。したがって、内側の袋体４をその中に投入された廃品３と一緒に廃品回収用容器１から取り出すときに、取り出す袋体４の外側に積層されていた袋体４が上記廃品回収用容器１から取り出される袋体４に追従して取り出されるという虞を減少でき、廃品３の回収作業時に要する労力を更に削減することができる。
【００２８】
次いで、図４（イ）（ロ）は本発明の実施の更に他の形態を示すもので、図１（イ）（ロ）及び図２（イ）（ロ）に示した廃品回収袋５と同様の構成において、内外方向に積層してある各袋体４の内底部に、所要形状の底板８、たとえば、上記廃品回収袋５を収納すべき廃品回収用容器１が角型の場合には、その内底部形状に対応した矩形状の底板８をそれぞれ挿入配置したものである。
【００２９】
底板８を各袋体４の内底部に組み入れた構成とする場合には、図１（イ）に示すように複数の袋体４を積層して廃品回収袋５を製造するときに、該各袋体４の内底部に底板８を挿入配置し、しかる後、該底板８が内底部に挿入配置された状態の袋体４を、内外方向に重ねるようにして積層するようにすればよい。
【００３０】
更に、上記底板８は、上面に所要形状の、たとえば、半球状の突部９を多数設けて凹凸を形成してなる構成として、積層された各袋体４の底部の内外層間に配置させることにより、上記底板８の表面と、突部９の先端部に接する内側の袋体４の底部との間に空間部を形成して空気層７を形成できるようにして、廃品回収袋５として積層配置される各袋体４の底部同士のすべての層間に空気層７を形成させることができるようにしてある。
【００３１】
上記底板８の素材は任意であるが、近年では廃品３の分別回収が広く行われていて、回収した廃品３を種類や素材に応じて別々の処分を行うことを考慮して、たとえば、回収する廃品３が紙ごみ等の場合には底板８を紙製とする等、回収すべき廃品３と同様に処分することができる材質としておけば、回収後の廃品３の処分場における処分作業時に、上記底板８を分離することなく回収した廃品３と一緒に処理することも可能になる。
【００３２】
その他の構成は図１（イ）（ロ）及び図２（イ）（ロ）に示したものと同様であり、同一のものには同一符号が付してある。
【００３３】
本実施の形態によれば、廃品回収袋５の底部には底板８が配置されているため、該底板８の部分を廃品回収用容器１の内底部へ押し込むようにすれば、廃品回収用容器１の内面に沿わせて廃品回収袋５を容易に収納できる。又、各袋体４の内底部に底板８が設けられているため、該各袋体８の底部に投入される廃品３を底板８で受けることができて、袋体４の底部を破損するような廃品３を取り扱う場合にも廃品３より保護することができ、各袋体４の底部が投入される廃品３により破損するようなことを未然に防止することができる。
【００３４】
更に、上記底板８には突部９が設けてあって、内外方向に積層されている袋体４の底部同士の層間に空気層７を形成させることができるため、この空気層７の存在により、図３に示した実施の形態と同様に、内外方向に隣接する袋体４同士の分離を容易に行わせることができ、したがって、内側の袋体４をその中に投入された廃品３と一緒に廃品回収用容器１から取り出すときに、取り出す袋体４の外側に積層されていた袋体４が上記廃品回収用容器１から取り出される袋体４に追従して取り出されるという虞を減少できて、廃品３の回収作業時に要する労力を低減させることができる。
【００３５】
次いで、図５（イ）（ロ）（ハ）（ニ）（ホ）（ヘ）（ト）（チ）はいずれも上記図４（イ）（ロ）に示した実施の形態における底板８の他の例を示すもので、該底板８に設ける突部９を、図４（イ）（ロ）に示した如き半球状とすることに代えて、図５（イ）は底板８の一辺に平行な直線状の突部９を設けたもの、図５（ロ）は斜め方向に平行な直線状の突部９を設けたもの、図５（ハ）は底板８の各辺に平行な格子状の突部９を設けたもの、図５（ニ）は図５（ハ）に示した如き格子状の一部を断続させた形状の突部９を設けたもの、図５（ホ）は斜め方向に格子状の突部９を設けたもの、図５（ヘ）は底板８の対角線状の突部９を設けたものをそれぞれ示す。更に、上記底板８の突部９は、内外方向に積層された各袋体４の底部における各層間に空気層７を形成できればよいため、図４（イ）（ロ）に示した如く、底板８の上面に突部９を設けることに代えて、図５（ト）は底板８の下面に突部９を設けたもの、図５（チ）は底板８の上下両面に突部９を設けたものをそれぞれ示す。なお、上記突部９は、先端部が袋体４に接触したときに該袋体４を損傷することがないように、いずれも先端部を丸めた形状としてある。
【００３６】
上記いずれの底板８を採用した場合にも、廃品回収袋５を構成している積層された各袋体４の底部同士の間に介在させることにより、該各袋体４の底部同士の間に空気層７を形成させることができるため、図４（イ）（ロ）に示した実施の形態と同様な効果を得ることができる。
【００３７】
更に、図６は本発明の実施の更に他の形態を示すもので、図１（イ）（ロ）及び図２（イ）（ロ）に示したと同様の廃品回収袋５において、各袋体４の一端開口部の周縁部に設けてある耳部６の表面、又は、裏面、あるいは、表裏両面（図では耳部６の表面に設けたものを示す）の所要位置に、積層された袋体４の耳部６同士の付着防止部材として、袋体４と同素材により耳部６の一部を部分的に厚みを増して硬質部１０を形成するか、あるいは、袋体４よりも硬い素材により製造した所要形状の部材を取り付けてなる構成としたものである。
【００３８】
その他の構成は図１（イ）（ロ）及び図２（イ）（ロ）に示したものと同様であり、同一のものには同一符号が付してある。
【００３９】
本実施の形態によれば、各袋体４の耳部６における硬質部１０は、耳部６の他の部分よりも柔軟性が低下させてあるため、内外方向に積層された各袋体４の耳部６が重なったまま一様に屈曲したり変形しても、各袋体４の耳部６は他の袋体４の耳部６に密着することがなくなる。したがって、上記硬質部１０を手掛りとして、各袋体４の耳部６同士を分離し易くすることができて、廃品回収用容器１に装着された廃品回収袋５の最も内側に位置する袋体４から順次取り出して廃品３の回収を行なうときに、上記最内側の袋体４の耳部６を、その外層側に位置する他の袋体４の耳部６と容易に分離して把持できるため、廃品３の回収作業を更に容易にすることが可能となる。
【００４０】
図７は積層された袋体４の耳部６同士の付着防止部材としての他の例を示すもので、内外方向に積層される各袋体４の耳部６同士の間に空気層を形成させることができるようにするために、各袋体４の耳部６の表面、又は、裏面、あるいは表裏両面（図では耳部６の表面に設けたものを示す）の所要位置に、突部１１を設けて凹凸を形成したものである。
【００４１】
その他の構成は図６に示したものと同様であり、同一のものには同一符号が付してある。
【００４２】
本実施の形態によれば、廃品回収袋５を構成している各袋体４の耳部６同士の層間に上記突部１１による凹凸を存在させることにより、該耳部６同士の層間に、空気層を形成できて、各袋体４の耳部６同士の分離を容易に行わせることができ、図６に示した実施の形態と同様な効果を得ることができる。
【００４３】
次に、図８（イ）（ロ）は本発明の廃品回収装置の実施の一形態を示すもので、図１（イ）（ロ）及び図２（イ）（ロ）に示したと同様に、角筒状の袋体４を内外方向に所要枚数積層してなる積層体としての廃品回収袋５を形成し、該廃品回収袋５を、上端の開口した所要形状の容器１２に挿入配置すると共に、該容器１２の開口部の周縁部に、上記廃品回収袋５の一端開口部を開いた状態で保持させて本発明の廃品回収装置１３を構成する。
【００４４】
なお、上記廃品回収袋５は、各袋体４の底部に図３に示した如き凸部４ａを設けた構成としたり、各袋体４の内底部に図４（イ）（ロ）及び図５（イ）（ロ）（ハ）（ニ）（ホ）（ヘ）（ト）（チ）に示した底板８を挿入して設けた構成としてもよく、又、各袋体４の耳部６に、図６に示した硬質部１０を設けたり、図７に示した如き突部１１を設けた構成としてもよい。
【００４５】
その他、図１（イ）（ロ）及び図２（イ）（ロ）に示したものと同一のものには同一符号が付してある。
【００４６】
上記構成としてある本発明の廃品回収装置１３によれば、袋体４の積層体である廃品回収袋５を、予め容器１２と一体としてあるので、本発明の廃品回収装置１３を、廃品３を投入させて回収を図るべき所要個所まで搬送して設置することにより、直ちに廃品３の投入に備えた状態とさせることができ、現場での廃品回収容器１への廃品回収袋５の収納、装着等の作業を不要にできて、現場での作業を簡易化することができる。
【００４７】
なお、本発明は上記実施の形態のみに限定されるものではなく、図１（イ）（ロ）及び図８（イ）（ロ）では廃品回収袋５を角筒状として示したが、廃品回収袋５を収納すべき廃品回収用容器１又は容器１２の形状に合わせて、図９（イ）に示す如き円筒状としてもよく、更には、上端開口部と底部で面積が異なる形状、たとえば、図９（ロ）に示す如き逆角錐台形状や、図９（ハ）に示す如き逆円錐台形状とする等、任意に設定してよいこと、したがって、上記廃品回収袋５の形状に応じて、図８（イ）（ロ）に示した実施の形態にて廃品回収袋５を収納するための容器１２の形状も、円筒型や逆角錐台形状、逆円錐台形状等、任意の形状を採用できること、廃品回収袋５を構成する各袋体４の一端開口部の周縁部における耳部６の設置個所は周方向の任意の個所でよく、又、袋体４の寸法に応じて設置個所を増減させてよいこと、更に、上記耳部６は設けることが望ましいが、省略することも可能なこと、図３の実施の形態における袋体４の底部に設ける凸部４ａや凹部は、内外方向に積層された袋体４の底部同士の層間に空気層７を形成できれば任意の形状としてよいこと、底板８に設ける突部９は、内外方向に積層された袋体４の底部同士の層間に空気層７を形成できれば、図４（イ）（ロ）及び図５（イ）（ロ）（ハ）（ニ）（ホ）（ヘ）（ト）（チ）に示した以外の形状としてもよいこと、更に、底板８は、図１０に示す如く、外周縁部８ａを滑らかに上方へ縁折りした形状としてもよく、この場合は、各袋体４の内側へ投入される廃品３を、底板８上により確実に受けられること、図６に示した実施の形態における耳部６に設ける硬質部１０、及び、図７に示した実施の形態における耳部６に設ける突部１１は、内外方向に積層される各袋体４の耳部６同士の分離性を高めることができれば、いかなる形状としてもよいこと、廃品回収袋５の廃品回収用容器１あるいは容器１２への収納は、一端開口部を開いた状態で保持でき、且つ必要に応じて廃品回収袋５を構成している袋体４を内側から１枚ずつ順次取り外すことができれば、上記廃品回収用容器１や容器１２の上端開口部の外周縁部に保持機構を装備させて該保持機構により保持させる等、保持方法は自在に設定してよいこと、袋体４は、一端開口部を開口させた状態を容易に保持できるように、該一端開口部に、袋体４の材料、あるいはそれよりも硬質の材料により縁取りを設けるようにしてもよいこと、廃品回収袋５を構成する袋体４の積層数は任意に設定してよいこと、その他本発明の要旨を逸脱しない範囲内において種々変更を加え得ることは勿論である。
【００４８】
【発明の効果】
以上述べた如く、本発明によれば、以下の如き優れた効果を発揮する。
（１）  一端を開口した複数の袋体を、内外方向に重ね合わせるように積層してなり、且つ該各袋体を積層した状態で一端の開口が上方となるように所要の廃品回収用容器の内側に収納できるようにした廃品回収袋としてあるので、廃品回収用容器へ一旦収納して装着すると、該廃品回収用容器へ投入される廃品を回収する際、上記廃品回収袋を構成する袋体の積層枚数に対応した回数の回収操作を繰り返し実施することができることから、廃品回収用容器への廃品回収袋の装着を行なう回数を、従来の如く、廃品回収用容器からの廃品回収作業の度毎に毎回要していた袋の装着作業の回数に比して大幅に削減することができ、廃品回収作業時における手間及び時間を削減できて、廃品回収作業に要する労力を削減することができる。
（２）  一端を開口した袋体を、内外方向に重ね合わせるようにして積層して積層体を形成し、該袋体の積層体を、廃品回収用容器の開口に袋体の開口が位置するように該容器の内側に収納して容器に保持させてなる構成を有する廃品回収装置とすると、該廃品回収装置を廃品回収すべき所要個所へ搬送して設置することにより、袋体の積層体である廃品回収袋を予め容器に収納した状態で現場に搬入できるため、現場における廃品回収容器への廃品回収袋の装着作業を不要にでき、直ちに廃品の投入に備えた状態とさせることができ、このため現場での廃品回収作業を更に容易に行うことができる。
（３）  積層された各袋体の底部に、該積層された各袋体の底部同士の層間に空気層を形成させるための凹凸を設けた構成とすることにより、内外方向に隣接する袋体同士の分離を容易に行わせることができ、このため袋体に投入された廃品を回収するため当該袋体を取り出すときに、その外側に隣接する袋体が上記取り出される袋体に追従して取り出されるという虞を減少でき、このため廃品の回収作業時に要する労力を更に削減することができる。
（４）  積層された各袋体の内底部に、廃品回収用容器の底部形状に対応した形状の底板を装備させた構成とすることにより、各袋体の内側に投入される廃品を底板で受けることによって袋体の底部を廃品より保護できるため、各袋体の底部が廃品と接触することにより損傷する虞を防止できる。
（５）  底板の上面又は下面の少なくとも一方の面に、積層された各袋体の底部同士の層間に空気層を形成させるための凹凸を設けた構成とすることにより、内外方向に隣接する袋体同士の分離を容易に行わせることができ、このため袋体に投入された廃品を回収するため当該袋体を取り出すときに、その外側に隣接する袋体が上記取り出される袋体に追従して取り出されるという虞を減少できて、廃品の回収作業時に要する労力を低減させることができる。
（６）  積層された各袋体の一端開口部の周縁部に、各袋体毎に一端開口部を縛って閉じるための耳部を設けた構成とすることにより、投入された廃品を受けている袋体を取り出すときに該袋体の耳部同士を縛るようにすることにより、廃品が収納された袋体の開口部を閉じることができるため、該廃品を収容した袋体を取扱うときに、内部の廃品が該袋体の開口部からこぼれることを防止できて、上記廃品を収納した袋体の取り扱いを容易に行うことができる。
（７）  耳部の表面又は裏面の少なくとも一方の面に、積層する耳部同士の付着防止部材を設けた構成とすることにより、積層された各袋体の耳部が重なったまま一様に屈曲や変形する状態になっても、積層されている各袋体の耳部同士を分離し易くすることが可能になることから、投入される廃品を直接受けている最も内側に位置する袋体を取り出すときに、上記最内側の袋体の耳部を、その外層側に位置する他の袋体の耳部から容易に分離して把持できるため、廃品の回収作業を更に容易にすることが可能となる。
【図面の簡単な説明】
【図１】本発明の廃品回収袋の実施の一形態を示すもので、（イ）は概略斜視図、（ロ）は製造方法の概要を示す図である。
【図２】図１の廃品回収袋の使用方法を説明するためのもので、（イ）は廃品回収用容器に装着した状態を、（ロ）は投入された廃品の回収を行なう状態をそれぞれ示す切断側面図である。
【図３】本発明の廃品回収袋の実施の他の形態における底部を拡大して示す切断側面図である。
【図４】本発明の廃品回収袋の実施の他の形態を示すもので、（イ）は底部を拡大して示す切断側面図、（ロ）は底板の概略斜視図である。
【図５】いずれも底板の他の形態を示すもので、（イ）（ロ）（ハ）（ニ）（ホ）（ヘ）はそれぞれ異なる形状の突部を設けた底板の概略斜視図、（ト）は下面に突部を設けた底板の側面図、（チ）は上下両面に突部を設けた底板の側面図である。
【図６】本発明の廃品回収袋の実施の更に他の形態における耳部を拡大して示す切断側面図である。
【図７】本発明の廃品回収袋の実施の更に他の形態における耳部を拡大して示す切断側面図である。
【図８】本発明の廃品回収装置の実施の一形態を示すもので、（イ）は概略切断側面図、（ロ）は製造方法の概要を示す図である。
【図９】（イ）（ロ）（ハ）はいずれも本発明における廃品回収袋の他の形状例を示す図である。
【図１０】図４の底板の更に他の形状例を示す概略斜視図である。
【図１１】従来の廃品回収方法の概要を示す切断側面図である。
【符号の説明】
１  廃品回収用容器
３  廃品
４  袋体
４ａ  凸部
５  廃品回収袋（積層体）
６  耳部
７  空気層
８  底板
９  突部
１０  硬質部（付着防止部材）
１１  突部（付着防止部材）
１２  容器
１３  廃品回収装置
【図１】
2004175518.tif 000003
【図２】
2004175518.tif 000004
【図３】
2004175518.tif 000005
【図４】
2004175518.tif 000006
【図５】
2004175518.tif 000007
【図６】
2004175518.tif 000008
【図７】
2004175518.tif 000009
【図８】
2004175518.tif 000010
【図９】
2004175518.tif 000011
【図１０】
2004175518.tif 000012
【図１１】
2004175518.tif 000013